(57)【要約】【課題】防振効果を向上できる信号伝送部品、フローティングコネクタ及びその溶接物を提供する。【解決手段】フローティングコネクタは、絶縁ハウジングと、絶縁ハウジングに取り付けられる複数の導電端子と、二つの溶接物とを備える。絶縁ハウジングは、挿着部と、挿着部の両端にそれぞれ接続される二つの延在部と、それぞれが二つの延在部に位置される二つの端部とを備える。それぞれの端部と対応する延在部の内側とは、ストッパ壁とストッパ壁に向ける二つのストッパ孔とが形成されているストッパ溝を取り囲んで形成される。二つの溶接物は、二つのストッパ溝にそれぞれ変位可能に取り付けられ、対応するストッパ壁に対向するビームと、ビームに接続され、対応する二つのストッパ孔にそれぞれ挿設される二つの弾性アームと、ビームの二つの末端にそれぞれ接続され、対応するストッパ溝を貫通する二つの溶接ピンと、を備える。【選択図】図１１
2019067765.tif 000002
【特許請求の範囲】
【請求項１】
回路基板及びフローティングコネクタを含む信号伝送部品であって、
前記フローティングコネクタは、前記回路基板に固定され、絶縁ハウジングと、複数の導電端子と、二つの溶接物とを備え、
前記絶縁ハウジングは、
挿着部と、
前記挿着部の反対の両端にそれぞれ接続される二つの延在部と、
それぞれが二つの前記延在部に位置され、それぞれの内側と対応する前記延在部の内側とが、ストッパ壁と前記ストッパ壁に向ける二つのストッパ孔とが形成されているストッパ溝を取り囲んで形成される二つの端部と、を備え、
前記複数の導電端子は、前記絶縁ハウジングに取り付けられると共に、それぞれが、前記挿着部に設けられる第１の部位と前記挿着部に接触しない第２の部位とを備え、
前記二つの溶接物は、二つの前記ストッパ溝にそれぞれ変位可能に取り付けられ、前記二つの溶接物のそれぞれは、
対応する前記ストッパ溝の前記ストッパ壁に対向するビームと、
前記ビームに接続され、それぞれに自由端部を有し、二つの前記自由端部が対応する前記ストッパ溝の二つの前記ストッパ孔にそれぞれ変位可能に挿設される二つの弾性アームと、
前記ビームの二つの末端にそれぞれ接続され、対応する前記ストッパ溝を貫通する二つの溶接ピンと、を備え、
複数の前記導電端子と前記溶接物それぞれの二つの溶接ピンとが前記回路基板に溶接固定され、前記溶接物それぞれの前記ビームと対応する前記ストッパ壁とが互いに間隔を置いて設けられ、前記絶縁ハウジングが前記回路基板に対して移動する場合、二つの前記溶接物のそれぞれの前記弾性アームが付勢されて復帰力を前記絶縁ハウジングに付与する
ことを特徴とする、信号伝送部品。
【請求項２】
前記信号伝送部品は位置決めカバーをさらに備え、前記位置決めカバーが前記挿着部に着脱自在に挿設されると共に、複数の前記導電端子の前記第２の部位に押し付けられることで、複数の前記導電端子の前記第２の部位の末端が全て前記回路基板に押し付けられることを特徴とする、請求項１に記載の信号伝送部品。
【請求項３】
それぞれの前記溶接物において、それぞれの前記自由端部は、二つの前記溶接ピンから離れると共に、その一部が対応する前記ストッパ孔から突出し、それぞれの前記自由端部は厚さを有し、それぞれの前記自由端部と、対応する前記ストッパ孔の内壁とは前記厚さよりも小さい距離を隔てていることを特徴とする、請求項１又は２に記載の信号伝送部品。
【請求項４】
絶縁ハウジングと、複数の導電端子と、二つの溶接物とを含むフローティングコネクタであって、
前記絶縁ハウジングは、
挿着部と、
前記挿着部の反対の両端にそれぞれ接続される二つの延在部と、
それぞれが二つの前記延在部に位置され、それぞれの内側と対応する前記延在部の内側とが、ストッパ壁と前記ストッパ壁に向ける二つのストッパ孔とが形成されているストッパ溝を取り囲んで形成される二つの端部と、を備え、
前記複数の導電端子は、前記絶縁ハウジングの前記挿着部に取り付けられ、
前記二つの溶接物は、二つの前記ストッパ溝にそれぞれ変位可能に取り付けられ、前記二つの溶接物のそれぞれは、
対応する前記ストッパ溝の前記ストッパ壁に対向するビームと、
前記ビームに接続され、それぞれに自由端部を有し、二つの前記自由端部が対応する前記ストッパ溝の二つの前記ストッパ孔にそれぞれ変位可能に挿設される二つの弾性アームと、
前記ビームの二つの末端にそれぞれ接続され、対応する前記ストッパ溝を貫通する二つの溶接ピンと、を備える
ことを特徴とする、フローティングコネクタ。
【請求項５】
それぞれの前記溶接物は一体成形されるワンピース型の構造であり、それぞれの前記溶接物において、それぞれの前記弾性アームは前記ビームと前記自由端部との間に接続される弾性部を有し、それぞれの前記弾性部は前記ビームから曲がって延在し、少なくとも一つのＳ字状構造を含むことを特徴とする、請求項４に記載のフローティングコネクタ。
【請求項６】
それぞれの前記溶接物において、それぞれの前記自由端部が二つの前記溶接ピンから離れ、前記弾性アームそれぞれの前記自由端部及び一部の前記弾性部が対応する前記ストッパ孔に挿設され得ることを特徴とする、請求項５に記載のフローティングコネクタ。
【請求項７】
前記挿着部及び二つの前記延在部は一体成形される構造であり、二つの前記端部は、二つの前記延在部にそれぞれ着脱自在に組み付けられることを特徴とする、請求項４〜６のいずれか１項に記載のフローティングコネクタ。
【請求項８】
それぞれの前記端部及び互いに組み付けられる前記延在部において、二つの前記ストッパ孔は貫通して前記端部に形成され、前記ストッパ壁は前記延在部に位置されることを特徴とする、請求項７に記載のフローティングコネクタ。
【請求項９】
一体成形されるワンピース型の構造であり、
長尺のシート状となるビームと、
前記ビームの二つの長側縁に接続され、それぞれが間隔を置いて設けられ、それぞれに前記ビームに曲がって接続される弾性部と前記弾性部から延在する自由端部とを有し、それぞれの前記弾性部が少なくとも一つのＳ字状構造を含む二つの弾性アームと、
前記ビームの二つの末端にそれぞれ接続される二つの溶接ピンとを備える
ことを特徴とする、フローティングコネクタの溶接物。
【請求項１０】
前記ビームは反対側に位置される二つの前記長側縁を備え、二つの前記弾性アームは、前記ビームの二つの前記長側縁にそれぞれ略垂直に接続され、前記ビームに対してずれて設けられることを特徴とする、請求項９に記載のフローティングコネクタの溶接物。
【発明の詳細な説明】
【技術分野】
【０００１】
本発明は、コネクタに関し、特に信号伝送部品、フローティングコネクタ及びその溶接物に関する。
【背景技術】
【０００２】
従来のフローティングコネクタは、挿着キャビティと上記挿着キャビティの内部に取り付けられる複数の導電端子とを備える。上記挿着キャビティは導電端子に対して移動し、導電端子を介して緩衝力を与えて、防振の効果を達成させることが可能である。しかし、従来のフローティングコネクタの緩衝力設計はすでに導電端子に限定されているので、緩衝効果をさらに有効に向上しにくい。
【０００３】
それで、本発明者は、上記デメリットが改善できると思っているので、鋭意検討し科学原理の応用に基づき、ようやく、設計が合理的で上記デメリットを効果的に改善する本発明を提案している。
【発明の概要】
【発明が解決しようとする課題】
【０００４】
本発明の一実施形態は、従来のフローティングコネクタに生じ得る欠陥を効果的に改善するための信号伝送部品、フローティングコネクタ及びその溶接物を提供する。
【課題を解決するための手段】
【０００５】
本発明の一実施形態では、回路基板及びフローティングコネクタを含む信号伝送部品が開示される。前記フローティングコネクタは、前記回路基板に固定され、絶縁ハウジングと、複数の導電端子と、二つの溶接物とを備え、前記絶縁ハウジングは、挿着部と、前記挿着部の反対の両端にそれぞれ接続される二つの延在部と、それぞれが二つの前記延在部に位置され、それぞれの内側と対応する前記延在部の内側とが、ストッパ壁と前記ストッパ壁に向ける二つのストッパ孔とが形成されているストッパ溝を取り囲んで形成される二つの端部と、を備え、前記複数の導電端子は、前記絶縁ハウジングに取り付けられると共に、それぞれが、前記挿着部に設けられる第１の部位と前記挿着部に接触しない第２の部位とを備え、前記二つの溶接物は、二つの前記ストッパ溝にそれぞれ変位可能に（すなわち可動な状態で）取り付けられ、前記二つの溶接物のそれぞれは、対応する前記ストッパ溝の前記ストッパ壁に対向するビームと、前記ビームに接続され、それぞれに自由端部を有し、二つの前記自由端部が対応する前記ストッパ溝の二つの前記ストッパ孔にそれぞれ変位可能に（すなわち可動な状態で）挿設される二つの弾性アームと、前記ビームの二つの末端にそれぞれ接続され、対応する前記ストッパ溝を貫通する二つの溶接ピンと、を備え、複数の前記導電端子と前記溶接物それぞれの二つの溶接ピンが前記回路基板に溶接固定され、前記溶接物それぞれの前記ビームと対応する前記ストッパ壁とが互いに間隔を置いて設けられ、前記絶縁ハウジングが前記回路基板に対して移動する場合、二つの前記溶接物それぞれの前記弾性アームが付勢されて復帰力を前記絶縁ハウジングに付与できる
【０００６】
本発明の一実施形態では、絶縁ハウジングと、複数の導電端子と、二つの溶接物とを含むフローティングコネクタも開示される。前記絶縁ハウジングは、挿着部と、前記挿着部の反対の両端にそれぞれ接続される二つの延在部と、それぞれが二つの前記延在部に位置され、それぞれの内側と対応する前記延在部の内側とが、ストッパ壁と前記ストッパ壁に向ける二つのストッパ孔とが形成されているストッパ溝を取り囲んで形成される二つの端部と、を備え、前記複数の導電端子は、前記絶縁ハウジングの前記挿着部に取り付けられ、前記二つの溶接物は、二つの前記ストッパ溝にそれぞれ変位可能に（すなわち可動な状態で）取り付けられ、前記二つの溶接物のそれぞれは、対応する前記ストッパ溝の前記ストッパ壁に対向するビームと、前記ビームに接続され、それぞれに自由端部を有し、二つの前記自由端部が対応する前記ストッパ溝の二つの前記ストッパ孔にそれぞれ変位可能に（すなわち可動な状態で）挿設される二つの弾性アームと、前記ビームの二つの末端にそれぞれ接続され、対応する前記ストッパ溝を貫通する二つの溶接ピンと、を備える。
【０００７】
本発明の一実施形態では、また、フローティングコネクタの溶接物が開示される。前記フローティングコネクタの溶接物は、一体成形されるワンピース型の構造であり、長尺のシート状となるビームと、前記ビームの二つの長側縁に接続され、それぞれが間隔を置いて設けられ、それぞれに前記ビームに曲がって接続される弾性部と前記弾性部から延在する自由端部とを有し、それぞれの前記弾性部が少なくとも一つのＳ字状構造を含む二つの弾性アームと、前記ビームの二つの末端にそれぞれ接続される二つの溶接ピンとを備える。
【０００８】
以上をまとめると、本発明の実施形態に開示される信号伝送部品、フローティングコネクタ及びその溶接物は、溶接物が対応する絶縁ハウジング部位に合わせて設計されることにより、絶縁ハウジングが移動する場合、溶接物の弾性アームは付勢されて復帰力を絶縁ハウジングに付与できることで、防振効果を向上することができる。
【０００９】
本発明の特徴及び技術内容がより一層判るように、以下本発明の実施形態に関する詳細な説明と添付図面を参照するが、これらの説明と添付図面は本発明の実施形態を説明するためのものに過ぎず、本発明の範囲が何ら制限されるものではない。
【図面の簡単な説明】
【００１０】
【図１】図１は本発明の一実施形態のフローティングコネクタの模式的斜視図である。
【図２】図２は図１の別の視角の模式的斜視図である。
【図３】図３は図１の分解模式図である。
【図４】図４は図２の分解模式図である。
【図５】図５は本発明の一実施形態のフローティングコネクタにおける導電端子の模式的平面図である。
【図６】図６は図１のＶＩ−ＶＩ線に沿う概略的断面図である。
【図７】図７は本発明の一実施形態のフローティングコネクタにおける溶接物の模式的平面図である。
【図８】図８は図１のＶIII−ＶIII線に沿う概略的断面図である。
【図９】図９は本発明の一実施形態の信号伝送部品の模式的斜視図１である。
【図１０】図１０は図９のＸ−Ｘ線に沿う概略的断面図である。
【図１１】図１１は図９のＸＩ−ＸＩ線に沿う概略的断面図である。
【図１２】図１２は図９のＸII−ＸII線に沿う概略的断面図である。
【図１３】図１３は本発明の一実施形態の信号伝送部品の模式的斜視図２である。
【図１４】図１４は図１３の分解模式図である。
【図１５】図１５は図１３のＸＩＶ−ＸＩＶ線に沿う概略的断面図である。
【発明を実施するための形態】
【００１１】
図１乃至図１５を参照する。図１乃至図１５は本発明の実施形態である。本実施形態の対応する添付図面に言及されている関連する数と外形は、本発明の内容が分かりやすいように、本発明の実施の態様を具体的に説明するためのものに過ぎず、本発明の範囲を限定するものではないことをまず明らかにしておく。
【００１２】
図１と図２に示すように、本実施形態では、相手コネクタ（図示せず）と挿着するために用いられ、移動対象（例えば、自動車）に適用されるフローティングコネクタ１００が開示される。なかでも、前記フローティングコネクタ１００は、相手コネクタと相対的に移動する場合、上記相手コネクタとの間の電気的接続を安定して保持することができる。
【００１３】
前記フローティングコネクタ１００は、絶縁ハウジング１と、上記絶縁ハウジング１に取り付けられる複数の導電端子２と、絶縁ハウジング１内に変位可能に（すなわち可動な状態で）取り付けられる二つの溶接物３とを備える。前記溶接物３は本実施形態の絶縁ハウジング１に合わせて説明されるが、単独で用いられてもよく、本実施形態に記載されるものに限定されないことをまず明らかにしておく。以下に本実施形態のフローティングコネクタ１００の各部品構造及びその接続関係をそれぞれ説明し、かつ、まず、何れかの対象に溶接されていないフローティングコネクタ１００の構造について説明する。
【００１４】
図３と図４に示すように、前記絶縁ハウジング１は、長尺状となる挿着部１１と、それぞれ前記挿着部１１の反対の両端に接続される二つの延在部１２と、それぞれ前記二つの延在部１２に位置される二つの端部１３とを備える。本実施形態において、前記挿着部１１及び二つの延在部１２は一体成形される構造であり、かつ上記二つの端部１３は、それぞれ前記二つの延在部１２に着脱自在に組み付けられる。つまり、本実施形態において、前記端部１３の構造はカバーのように見え、上から下に向かって対応する延在部１２に被覆設置されるが、本発明の絶縁ハウジング１の構造はこれに限定されるものではない。例えば、他の実施形態において、前記絶縁ハウジング１は、一体成形されるワンピース型の構造であってもよい。
【００１５】
なお、上記それぞれの端部１３及び互いに組み付けられる延在部１２は、本実施形態において互いに引掛されることで説明されるが、実際に応用される場合、前記端部１３と延在部１２の組み付け方式は設計者の要求に従って調整されてもよく、変更されてもよいが、本発明はここで制限されていない。
【００１６】
より詳しくは、上記それぞれの端部１３の内側は対応する延在部１２の内側とともにストッパ溝１４を取り囲んで形成され（図８のように）、ストッパ溝１４のそれぞれには、ストッパ壁１２１と上記ストッパ壁１２１に向ける二つのストッパ孔１３１とが形成されている。なかでも、本実施形態のそれぞれの端部１３及び互いに組み付けられる延在部１２において、二つのストッパ孔１３１は貫通して前記端部１３に形成され、前記ストッパ壁１２１は延在部１２に位置されるが、本発明はこれに限定されるものではない。例えば、他の実施形態において、前記端部が下から上に向かって対応する延在部１２に被覆設置され、二つのストッパ孔１３１が貫通して前記延在部１２に形成され、前記ストッパ壁１２１が端部１３に位置されることが可能である。
【００１７】
また、前記挿着部１１は、挿着溝１１１と上記挿着溝１１１の溝底から垂直に延在されるタングプレート１１２とを備え、上記タングプレート１１２は前記挿着溝１１１から突出する。なかでも、前記挿着溝１１１は、底壁１１１１と、それぞれ上記底壁１１１１の二つの側縁に垂直に接続される二つの側壁１１１２とを備え、それぞれの側壁１１１２の外面には上記底壁１１１１に近接する複数の把持部１１１３が設けられている。
【００１８】
前記それぞれの側壁１１１２における複数の把持部１１１３は挿着部１１の長手方向に一列に並べられている。本実施形態において、それぞれの側壁１１１２の外面にリブが形成されており、上記リブは底壁１１１１に近接し、上下貫通の複数の切欠きが形成されている。上記それぞれの切欠きは一つの把持部１１１３として定義されているが、本発明の把持部１１１３の構造はこれに限定されるものではない。
【００１９】
図３と図４に示すように、前記複数の導電端子２は、上記絶縁ハウジング１の挿着部１１に取り付けられるとともに、前記挿着部１１の長手方向に互いに平行である両列に配列される。なかでも、導電端子２のそれぞれは、上記挿着部１１に設けられる第１の部位２１と、前記挿着部１１に接触しない第２の部位２２とを備える。
【００２０】
本実施形態のそれぞれの導電端子２の構造は全てほぼ同じであるので、説明の便宜上、以下には、まず、１つの導電端子２及びその対応する挿着部１１の構造（例えば、対応するタングプレート１１２部位及び対応する把持部１１１３）を説明する。しかし、他の実施形態において、複数の導電端子２の構造は異なってもよく、又は下記に記載されるものと異なってもよい。
【００２１】
図５と図６に示すように、前記導電端子２は一体成形されるワンピース型の構造であり、上記第１の部位２１は、接触セグメント２１１と湾曲セグメント２１２とを含み、第２の部位２２は、弾力セグメント２２１と固定セグメント２２２とを含む。つまり、上記湾曲セグメント２１２の一端（例えば、図５中の湾曲セグメント２１２の右端）が前記接触セグメント２１１に接続され、前記弾力セグメント２２１の両端が上記湾曲セグメント２１２の他端（例えば、図５中の湾曲セグメント２１２の左端）及び前記固定セグメント２２２にそれぞれ接続される。
【００２２】
より詳しくは、前記接触セグメント２１１は、タングプレート１１２に埋め込まれるとともに、前記相手コネクタの端子に当接するために、一方の表面がタングプレート１１２外に露出する。接触セグメント２１１に接続される湾曲セグメント２１２は、一方側部位（例えば、図６中の湾曲セグメント２１２の右側部位）が底壁１１１１内に嵌設され、ボトム側部位が底壁１１１１の底縁に嵌設され、他方側部位（例えば、図６中の湾曲セグメント２１２の左側部位）が対応する把持部１１１３に嵌設される。なお、上記湾曲セグメント２１２と対応する把持部１１１３との固定方式は、本実施形態において互いに嵌設固定されることで説明されるが、実際に応用される場合、設計者の要求に従って調整されてもよく、変更されてもよい。
【００２３】
前記弾力セグメント２２１は上記挿着部１１外に位置され、本実施形態の弾力セグメント２２１は略Ｕ字型となる。上記弾力セグメント２２１の中心線Ｃ２２１は、把持部１１１３に嵌設される湾曲セグメント２１２の部位（又はフローティングコネクタ１００の挿着方向）と鋭角σを成し、前記鋭角σは３０〜６０度の範囲にある。なお、前記弾力セグメント２２１と湾曲セグメント２１２によって第１の夾角σ１が形成されており、上記第１の夾角が１２０〜１５０度の範囲にある。前記弾力セグメント２２１と固定セグメント２２２によって第２の夾角σ２が形成されており、第１の夾角σ１と第２の夾角σ２との差が５度の範囲内（例えば、本実施形態の第１の夾角σ１が第２の夾角σ２に略相当する）にあるが、本発明はこれに制限されない。
【００２４】
前記固定セグメント２２２は、上記挿着部１１外に位置され、本実施形態において表面実装技術（ｓｕｒｆａｃｅ  ｍｏｕｎｔｉｎｇ  ｔｅｃｈｎｏｌｏｇｙ、ＳＭＴ）による溶接に適用される構造であるが、本発明はこれに制限されない。例えば、他の実施形態において、前記固定セグメント２２２は挿設溶接に適用される構造であってもよい。なお、前記固定セグメント２２２は、反対の両表面（例えば、図５中の固定セグメント２２２の天面と底面）に、それぞれ階段面２２２１と固定面２２２２とが形成されている。上記階段面２２２１と固定面２２２２は互いに平行であり、ある距離が隔たっており、前記階段面２２２１が固定面２２２２よりも高い。
【００２５】
図３、図７及び図８に示すように、前記二つの溶接物３は、上記二つのストッパ溝１４にそれぞれ変位可能に（すなわち可動な状態で）取り付けられる。本実施形態の各溶接物３の構造は全てほぼ同じであるので、説明の便宜上、以下には、まず、１つの溶接物３及びその対応するストッパ溝１４の構造（例えば、対応するストッパ壁１２１と対応するストッパ孔１３１）を説明する。しかし、他の実施形態において、前記二つの溶接物３の構造は異なってもよい。
【００２６】
前記溶接物３は一体成形されるワンピース型の構造であり、長尺のシート状となるビーム３１と、上記ビーム３１に接続される二つの弾性アーム３２と、上記ビーム３１の二つの末端（例えば、図７中のビーム３１の左端と右端）にそれぞれ接続される二つの溶接ピン３３とを備える。
【００２７】
なかでも、前記ビーム３１は長手方向が上記何れか１列の導電端子２の配列方向に略垂直であり、反対側に位置される二つの長側縁３１１を備える。それぞれの弾性アーム３２は、自由端部３２２と、上記ビーム３１と自由端部３２２との間に接続される弾性部３２１とを有する。前記二つの弾性アーム３２は、上記ビーム３１の二つの長側縁３１１にそれぞれ接続され、前記弾性部３２１のそれぞれが上記ビーム３１の対応する長側縁３１１から曲がって（例えば、略垂直に）延在し形成される。好ましくは、前記二つの弾性アーム３２が上記ビーム３１に対してずれて設けられる。
【００２８】
より詳しくは、それぞれの弾性部３２１は、少なくとも一つのＳ字状構造を含む。本実施形態では、それぞれの弾性部３２１が頭尾が互いに接続される二つのＳ字状構造を含むことで説明し、上記二つの弾性部３２１に含まれるＳ字状構造は、互いに逆方向に設置されるが、本発明はこれに限定されるものではない。例えば、他の実施形態において、前記弾性部３２１は、Ｓ字状構造以外の構造であってもよい。
【００２９】
なお、前記ビーム３１は、対応する前記ストッパ溝１４のストッパ壁１２１に対向する。前記フローティングコネクタ１００が何れかの対象に溶接されていない場合、前記ビーム３１は対応するストッパ壁１２１に設けられてもよい。上記それぞれの弾性アーム３２の自由端部３２２が前記二つの溶接ピン３３から離れ、かつ二つの自由端部３２２が、対応するストッパ溝１４の二つのストッパ孔１３１にそれぞれ変位可能に（すなわち可動な状態で）挿設される。なかでも、それぞれの弾性アーム３２の自由端部３２２及び一部の弾性部３２１が対応するストッパ孔１３１に挿設され得る。
【００３０】
前記二つの溶接ピン３３は、上記ビーム３１の二つの末端にそれぞれ垂直に接続されるとともに、前記ビーム３１に対して略鏡映対称となって設けられる。なかでも、前記二つの溶接ピン３３は本実施形態においてそれぞれＬ字型構造を成し、全て対応するストッパ溝１４を貫通して、それぞれの溶接ピン３３の底面が上記何れかの導電端子２の固定面２２２２よりも低いようにする。
【００３１】
なお、前記溶接ピン３３は本実施形態において表面実装技術（ｓｕｒｆａｃｅ  ｍｏｕｎｔｉｎｇ  ｔｅｃｈｎｏｌｏｇｙ、ＳＭＴ）による溶接に適用される構造であるが、本発明はこれに制限されない。例えば、他の実施形態において、前記溶接ピン３３は挿設溶接に適用される構造であってもよい。
【００３２】
以上は何れかの対象に溶接されていない本実施形態のフローティングコネクタ１００の構造説明であり、本実施形態のフローティングコネクタ１００は回路基板２００に固定（例えば、溶接）されるために使用でき、上記フローティングコネクタ１００及び回路基板２００は本実施形態において、合わせて信号伝送部品１０００と言われてもよい（図９乃至図１２のように）。前記フローティングコネクタ１００は、本実施形態の回路基板２００に合わせて説明されるが、単独で用いられてもよく、本実施形態に記載されるものに限定されないことをまず明らかにしておく。
【００３３】
前記フローティングコネクタ１００が回路基板に溶接される前後の差異が分かりやすいように、以下に本実施形態のフローティングコネクタ１００が上記回路基板２００に溶接される過程をまず説明する。
【００３４】
図９乃至図１２に示すように、複数の導電端子２の固定面２２２２及び二つの溶接物３の溶接ピン３３の底面が全て回路基板２００の対応する接点に設けられるように、本実施形態のフローティングコネクタ１００を前記回路基板２００に設ける。その後、フローティングコネクタ１００が上記回路基板２００に溶接固定されるように、溶接フローを実施する。なかでも、それぞれの溶接物３のビーム３１が対応するストッパ壁１２１に設けられる場合、それぞれの溶接物３の溶接ピン３３の底面が上記何れかの導電端子２の固定面２２２２よりも低いので、二つの溶接物３の溶接ピン３３の底面が全て回路基板２００に設けられる場合、それぞれの溶接物３のビーム３１は上方に移動して対応するストッパ壁１２１から離れ、それぞれの溶接物３の二つの自由端部３２２は対応する二つのストッパ孔１３１により深く挿設される。
【００３５】
なお、以上に本実施形態のフローティングコネクタ１００が上記回路基板２００に溶接される過程を説明したが、以下に引き続いて本実施形態の信号伝送部品１０００の具体的構造と接続関係を説明する。
【００３６】
前記複数の導電端子２とそれぞれの溶接物３の二つの溶接ピン３３は前記回路基板２００に溶接固定され、それぞれの前記溶接物３のビーム３１と対応するストッパ壁１２１は互いに間隔を置いて設けられる。このため、前記絶縁ハウジング１が回路基板２００に対して移動する場合、二つの溶接物３のそれぞれの弾性アーム３２が付勢されて復帰力を絶縁ハウジング１に付与でき、さらに信号伝送部品１０００（又はフローティングコネクタ１００）に好ましい防振効果を持たせることが可能である。
【００３７】
さらに、本実施形態のそれぞれの溶接物３において、それぞれの自由端部３２２及びそれらに接続される弾性部３２１の一部が対応するストッパ孔１３１に収容され、それぞれの自由端部３２２の一部（例えば、図９中の自由端部３２２の頂部）が対応するストッパ孔１３１から突出する。なかでも、前記自由端部３２２のそれぞれは厚さを有し、それぞれの自由端部３２２と対応するストッパ孔１３１の内壁とは前記厚さよりも小さい距離を隔てている（図１２のように）。それにより、それぞれの自由端部３２２は対応するストッパ孔１３１に過度な変位が生じない。
【００３８】
なお、図１３乃至図１５に示すように、複数の導電端子２の固定面２２２２が全て回路基板２００の対応する接点に安定して当接され得るように、前記信号伝送部品１０００は位置決めカバー３００をさらに備えてもよい。そして、前記位置決めカバー３００が上記挿着部１１に着脱自在に挿設され、複数の導電端子２の第２の部位２２（例えば、階段面２２２１）に押し付けられることで、複数の導電端子２の第２の部位２２の末端（例えば、固定面２２２２）が全て前記回路基板２００に押し付けられる。溶接フローが実施された後、前記位置決めカバー３００は挿着部１１から取り除かれ得る。なお、本発明の信号伝送部品１０００は上記位置決めカバー３００を用いる必要があることを限定しない。
【００３９】
なお、前記位置決めカバー３００がさらに、上記タングプレート１１２の二つの板面、及び上記挿着溝１１１の二つの側壁１１１２の内面と外面に当接され得ることで、前記絶縁ハウジング１の挿着部１１は上記溶接フローにおいて、所定の構造を保持して変形しないことが可能となる。
【００４０】
［本発明の実施形態の技術的効果］
以上をまとめると、本発明の実施形態に開示される信号伝送部品、フローティングコネクタ及びその溶接物は、溶接物が対応する絶縁ハウジング部位に合わせて設計されることにより、絶縁ハウジングが移動する場合、溶接物の弾性アームは付勢されて復帰力を絶縁ハウジングに付与できることで、防振効果を向上することができる。
【００４１】
なお、前記信号伝送部品は、位置決めカバーをさらに備えてもよい。位置決めカバーが複数の導電端子の第２の部位に押し付けられることにより、複数の導電端子の第２の部位の末端が全て前記回路基板に押し付けられることで、導電端子に半田ボールの欠落が発生する欠陥を防止する。
【００４２】
また、本発明の実施形態に開示されるフローティングコネクタは、前記導電端子の構造設計を介して、防振効果を向上し得、前記導電端子と絶縁ハウジングの挿着部との係合（例えば、導電端子は弾力セグメントの一側のみに挿着部に固定設置され、弾力セグメントが挿着キャビティ外に露出すること）で、絶縁ハウジングによる上記導電端子に対する性能上の制限を回避することで、前記フローティングコネクタの防振効果を有効に向上できる。
【００４３】
上述したのは本発明の好ましい実施可能な実施形態に過ぎず、本発明の範囲を限定するためのものではない。本発明の特許請求の範囲に基づき為された均等の変化と変形は、全て本発明の特許請求の範囲に属すべきものである。
【符号の説明】
【００４４】
１０００    信号伝送部品
１００    フローティングコネクタ
１    絶縁ハウジング
１１    挿着部
１１１    挿着溝
１１１１    底壁
１１１２    側壁
１１１３    把持部
１１２    タングプレート
１２    延在部
１２１    ストッパ壁
１３    端部
１３１    ストッパ孔
１４    ストッパ溝
２    導電端子
２１    第１の部位
２１１    接触セグメント
２１２    湾曲セグメント
２２    第２の部位
２２１    弾力セグメント
２２２    固定セグメント
２２２１    階段面
２２２２    固定面
３    溶接物
３１    ビーム
３１１    長側縁
３２    弾性アーム
３２１    弾性部
３２２    自由端部
３３    溶接ピン
２００    回路基板
３００    位置決めカバー
Ｃ２２１    中心線
σ    鋭角
σ１    第１の夾角
σ２    第２の夾角
【図１】
2019067765.tif 000003
【図２】
2019067765.tif 000004
【図３】
2019067765.tif 000005
【図４】
2019067765.tif 000006
【図５】
2019067765.tif 000007
【図６】
2019067765.tif 000008
【図７】
2019067765.tif 000009
【図８】
2019067765.tif 000010
【図９】
2019067765.tif 000011
【図１０】
2019067765.tif 000012
【図１１】
2019067765.tif 000013
【図１２】
2019067765.tif 000014
【図１３】
2019067765.tif 000015
【図１４】
2019067765.tif 000016
【図１５】
2019067765.tif 000017